(57)【特許請求の範囲】
【請求項１】
金属製のせき板部と、該せき板部の両側縁から裏面に向かって突設した左右の側板部と、前記せき板部の裏面に設けたリブとを備え、前記せき板部の上下縁それぞれに該せき板部に沿って幕板を取り付け可能な幕板取付部を有し、前記側板部は上下端部それぞれがせき板部の上下に突出すると共に、該突出端部の前記側板部間に水平板部を設けて、前記せき板部の上下それぞれに開放面部を構成し、この開放面部を前記幕板取付部として幕板を取り付け可能とした壁高欄の型枠。
【請求項２】
せき板部は、垂直な立ち上がり面から表面側に傾斜する傾斜面が連続する請求項１記載の壁高欄の型枠。
【請求項３】
せき板部はステンレス製である請求項１または２記載の壁高欄の型枠。
【請求項４】
リブは、側板部と同形状の縦リブと、水平板部と同形状の横リブからなる請求項１、２または３記載の壁高欄の型枠。
【請求項５】
リブは金属製部材をせき板部の裏面に溶接してなる請求項１〜４のうち何れか一項記載の壁高欄の型枠。
【発明の詳細な説明】
【技術分野】
【０００１】
この発明は、橋梁の床版に壁高欄を構築する際に用いる型枠の改良に関するものである。
【背景技術】
【０００２】
道路橋や高架橋などの橋梁には車両等が橋梁外に飛び出すのを防止するために防護柵が設置される。特に高速自動車道や自動車専用道路などでは、国の設置基準に従い、コンクリート製の壁型防護柵、つまり壁高欄が設置される。壁高欄は先に完成させた床版に型枠を建て込み、コンクリートを場所打ちして、養生後に型枠を撤去するという工程を経て構築される。
【０００３】
そのような壁高欄の型枠として、従来、せき板に合板（通称、コンパネ）を使用し、裏面に桟木を釘打ちするなどして剛性を持たせたものが慣用されている。
【０００４】
このほか、せき板としてセメントプレキャスト板を用い、このせき板をそのまま壁高欄の一部として残存させる埋設型枠なども提案されている（特許文献１）。
【先行技術文献】
【特許文献】
【０００５】
【特許文献１】特開平１１−３６２３４号公報
【発明の概要】
【発明が解決しようとする課題】
【０００６】
上述した従来技術のうち、合板の型枠は、木の乾燥収縮により貼り合わせ部に隙間が生じ、ノロ（モルタルペースト）漏れが生じやすい。また、コンクリート打設時にかかる水平圧力に耐え得るように、数多くの桟木やセパレータを設置する必要があり、施工と解体に手間がかかる。
【０００７】
さらに、合板型枠は強度の問題等から数回しか使用できず、産業廃棄物（型枠）の廃棄処理や、原料である木材の過剰消費によって、地球環境に及ぼす影響も懸念されている。
【０００８】
なお、特許文献１のものは埋設型枠であるため、本発明と直接関係するものではない。
【０００９】
本発明は上述した合板型枠が有する課題を解決するためになされたもので、その目的とするところは、施工性、仕上がり、耐久性の面で合板型枠よりも優れた型枠を提供することである。
【課題を解決するための手段】
【００１０】
上述した目的を達成するために本発明では、金属製のせき板部と、該せき板部の両側縁から裏面に向かって突設した左右の側板部と、前記せき板部の裏面に設けたリブとを備え、前記側板部は前記せき板部の上下縁それぞれから突出して、当該突出する上下それぞれの側板部間に前記せき板部に沿って幕板を取り付け可能とした。
【００１１】
このように本発明では、型枠の主たる形成面が合板よりも強度が高い金属板によって構成され、また、リブによって剛性を確保している。その建て込み方法は、合板型枠による施工法を踏襲するが、天端レベル出しを行った後、型枠の下部に生じた隙間は幕板によって閉塞することができる。幕板は、合板やプラ板など、切断等によって上下幅を調整できるものが便宜である。同様に、型枠の上部にも幕板の取付部を有するが、壁高欄の設置条件によっては、高さの低い壁高欄とすることができるため、このような場合は、型枠の上部幕板は省略することができる。そして、側板部の上下端それぞれに桟木が固定可能な水平板部を設け、この水平板部に固定した桟木に対して幕板を取り付けるようにすれば、幕板を確実に型枠に固定することができる。
【００１２】
金属板の具体的な素材はステンレスであることが好ましい。耐食性に優れ、防錆処理の必要がないからである。一方、リブは剛性の面から金属製であることが好ましく、溶接によってせき板部に固着することができる。なお、リブは、縦リブと横リブとから構成することがせき板部の剛性を高めることができるが、特に、側板部と同形状の縦リブと、水平板部と同形状の横リブから構成することで、せき板部全面の強度を均一とすることができる。
【００１３】
ところで、壁高欄は地覆といわれる基礎に壁本体を設けたものであり、地覆と壁本体の間には段差がある。このような壁高欄を合板型枠によって構築する場合、最初に地覆を完成させ、その上に壁本体を構築するか、一度に両者を構築するには、複数の合板を前記段差に応じた角度でつなぎ合わせなければならない。そこで、本発明では、せき板部は、垂直な立ち上がり部から表面側に傾斜する傾斜部が連続するという手段を用いる。このような角度付きのせき板部を得るには、例えば、一枚の金属板を曲げ加工するほか、二枚以上の金属板を角度を付けて溶接し、こうしたせき板部によって、一度のコンクリート打設で地覆と壁本体とを同時に構築することができる。
【００１４】
なお、壁高欄の具体的形状としては、直壁型、単スロープ型、フロリダ型が知られているが、これら何れの形状であっても、上述した手段により対応することができる。
【発明の効果】
【００１５】
本発明の型枠は、せき板が金属板であるため、合板のように乾燥収縮がなく、ノロ流出の原因となる隙間や変形が減少し、仕上がりが良好となる。また、合板型枠よりも剛性が高いため、セパレータの設置数を少なくすることができ、その手間と材料費が節減できる。さらに、天端レベル出しなどの微調整は幕板により行うことができるうえ、幕板を除く型枠本体自体はほぼ半永久的に使用できるため、産業廃棄物の削減にも寄与する。
【００１６】
また金属板としてステンレス板を用いることで、防錆のための塗装処理の手間も省略でき、塗膜が壁高欄表面に色移りすることもない。また、普通鋼よりも強度が高いため、せき板部を薄く成型でき、軽量化も可能となる。
【図面の簡単な説明】
【００１７】
【図１】本発明の一実施形態に係る型枠の本体斜視図（表面側）
【図２】同、本体斜視図（裏面側）
【図３】同、建て込み状態を示した説明図
【図４】図３の一点鎖線円の拡大図
【図５】型枠を積み重ねた状態を示した説明図
【発明を実施するための形態】
【００１８】
以下、本発明の好ましい実施の形態を添付した図面に従って説明する。図１・２は型枠の本体１０となる本発明全体を示した斜視図であり、金属板を壁高欄の壁面形状に成型したせき板部１の裏面に縦リブ２と横リブ３を複数設けたものである。せき板部１の金属板は、型枠の軽量化と耐食性を考慮して、ステンレス板を予定しているが、それ以外の金属板であってもよい。ただし、ステンレス板以外の金属板を採用する場合は、防錆処理等の必要な耐食処理を施す。リブ２・３も金属からなり、せき板部１に対して溶接により一体化している。
【００１９】
具体的な構造としては、せき板部１の上下にはリブ２・３が露出する開放面部４・５が形成されており、ここに後述する幕板を取り付ける。また、この実施形態では、壁高欄として、壁本体の車道側壁面が末広がりの斜面であり、また壁本体と地覆の間（地覆の上面）も斜面であるフロリダ型を構築するための型枠を例示しており、そのため、せき板部１の形状も、壁本体に対応した第一傾斜面部１ａ、地覆の上面に対応した第二傾斜面部１ｂ、地覆の側面に対応した立ち上がり垂直面部１ｃの三面構成としている。
【００２０】
一方、せき板部１の裏面に突設した縦リブ２のうち、せき板部１の左右両側に設けた縦リブ２ａ・２ｂは、型枠同士を左右に連結する際に密に突き合わせる側板部として機能し、上下複数箇所にボルト孔２ｃを設けている。この両側の縦リブ２ａ・２ｂを含め、他の縦リブ２の上下２カ所には、後述する支保工（ターンバックル）の端部を取り付けるためのボルト孔２ｄも設けている。
【００２１】
さらに、横リブ３のうち、縦リブ２のせき板部１からの突出端部に設けられ、縦リブ２上側の開放面部４を構成する最上段および二段目の横リブ３ａ・３ｂと、下側の開放面部５を構成する最下段の横リブ３ｃにはボルト孔３ｄを設け、これらリブ上に、後述する幕板を釘打ち等するための桟木をボルト止め可能としている。
【００２２】
次に、上記構成の本体１０を用いた壁高欄の施工方法を説明する。図３は、本発明の型枠を建て込んだ状態を示したもので、先に完成している床版２０の側端に、上下一対のターンバックル３０・３１を支保工として型枠を設置している。ターンバックル３０・３１は、床版２０に固定した固定金具４０に一端を止め、他端は型枠本体１０の縦リブ２に設けたボルト孔２ｄに固定している。下側のターンバックル３０で型枠本体１０の大まかな位置を固定し、上側のターンバックル３１で型枠本体１０の角度を固定している。ターンバックル３０・３１は中間の雌ねじ棒を回転させることで長さ調整ができるため、チェーンやパイプサポートよりも型枠の固定が容易且つ確実に行える。
【００２３】
その際、型枠本体１０は、図３下方の一点鎖線で囲った部分を拡大した図４に示すように、適宜スペーサ５０上に載置して、水平出しや天端部のレベル出しを行っている。そして、型枠本体１０の下側開放面部５に合板などの木製の幕板６０を面一の状態で取り付けている。木製幕板６０を取り付けるには、型枠本体１０の最下段の横リブ３ｃ上に桟木７０をボルト止めしておき、この桟木７０に対して釘打ち等する。このように本発明の型枠は、下部構造が木製幕板６０によって構成されるため、型枠本体１０の建て込み時に、設置しようとする道路のカーブの曲率やバンク角に応じて天端レベルを微調整する必要がある場合などは、切断等によって上下幅の調整が容易であり、しかも、せき板部１と床版２０との間を密封してノロ漏れを防止することができる。
【００２４】
また、型枠本体１０の上側開放面部４にも木製の幕板６１を本体１０と面一の状態で取り付けるが、この場合も同様に、型枠本体１０の最上段および二段目の横リブ３ａ・３ｂそれぞれに桟木７１・７２をボルト固定しておき、これら桟木７１・７２に対して上側幕板６１を釘打ち等により取り付けることができる。このようにして取り付けられた上側幕板６１には、コンクリート打設の天端部に位置して面木８０を取り付けることができる。
【００２５】
なお、この型枠本体１０と対となる外側型枠９０は、従来と同じ合板型枠を従来工法により設置できる他、両型枠をセパレータ９１で接続することも従来工法と同じである。ただし、外側型枠９０についても本発明の型枠を採用することができることはもちろんである。
【００２６】
このように、壁高欄の内側型枠について本発明の型枠を使用することで、特に見栄えが重要視される車道側壁面の仕上がりを良好にすることができる。また、せき板部１としてステンレス板を用いることで、防錆処理が不要となり、塗膜が壁高欄に剥がれ移る恐れもないことから、見栄えの良い壁高欄を構築することができる。また、ステンレス板をせき板部１に用いることで、防錆のための塗装やメッキをしなくても済み、しかも、普通鋼よりも高強度のため薄く成型できることから、いわゆる三六寸法（９００×１８００）のもので５０ｋｇ程度に軽量化され、重機によらずとも人手で運搬・設置することも可能となる。さらに、保管時や輸送時には、図５に示すように、上下にほぼ水平に積み重ねることができ、場所をとらない。
【産業上の利用可能性】
【００２７】
上述した実施形態では、橋梁の両側に設ける壁高欄について説明したが、同じ形状の本発明型枠を用いて橋梁の中央に分離帯を構築することもできる。
【符号の説明】
【００２８】
１０  型枠本体
１  せき板部
２  縦リブ
３  横リブ
４  上側の開放面部
５  下側の開放面部
６０  下側の木製幕板
６１  上側の木製幕板
【図１】
0006039186.tif 000002
【図２】
0006039186.tif 000003
【図３】
0006039186.tif 000004
【図４】
0006039186.tif 000005
【図５】
0006039186.tif 000006